(57)【要約】【課題】かご上点検スペースを広く確保しつつ、パネルがパネル外側の部材と干渉することを防止したエレベータの乗りかごを提供することを課題とする。【解決手段】乗りかごＢは、乗りかごＢのかご上機器を覆い隠すためのかご外装Ｋをかご上に備える。かご外装Ｋは、上面側を構成する複数枚の上面パネルＰ１〜Ｐ４と、上面パネルＰ１〜Ｐ４を重ね合わせるように移動させることで上面側を開くパネル移動手段Ｍ１とを備える。【選択図】図２
2015027898.tif 000002
【特許請求の範囲】
【請求項１】
乗りかごのかご上機器を覆い隠すためのかご外装をかご上に備えるエレベータの乗りかごであって、
前記かご外装は、
上面側を構成する複数枚の上面パネルと、
前記上面パネルを重ね合わせるように移動させることで上面側を開くパネル移動手段と、
を備えることを特徴とするエレベータの乗りかご。
【請求項２】
前記パネル移動手段は、
隣接する前記上面パネル同士を折り畳み可能なように連結するヒンジと、
前記上面パネルに固定されたシャフトと、
前記シャフトを案内するガイド手段と、
を備え、
前記ガイド手段で前記シャフトを案内して前記かご外装の上面側を開いたときには、前記上面パネルが前記ヒンジで折り畳まれて横方向に重ね合せられていることを特徴とする請求項１記載のエレベータの乗りかご。
【請求項３】
前記シャフトは、前記ヒンジの回転軸に直交する前記上面パネルの側縁部の長手方向中央部に配置されていることを特徴とする請求項２記載のエレベータの乗りかご。
【請求項４】
前記かご外装の上面側を開いたときには、前記ヒンジまわりに折り畳まれた前記上面パネル同士を結合する結合手段を備えることを特徴とする請求項２または３記載のエレベータの乗りかご。
【請求項５】
前記パネル移動手段は、
互いに隣接する前記上面パネルの一方のパネルに連結されてパネル下面側へ延び出すリンク部材と、
前記リンク部材に設けられたシャフトと、
前記シャフトを案内するガイド手段と、
を備え、
前記ガイド手段で前記シャフトを案内して前記かご外装の上面側を開いたときには、前記一方のパネルは、前記一方のパネルに隣接する他方のパネルの上側に重ね合せられていることを特徴とする請求項１記載のエレベータの乗りかご。
【発明の詳細な説明】
【技術分野】
【０００１】
本発明の実施形態は、かご上機器を覆い隠すためのかご外装が設けられたエレベータの乗りかごに関する。
【背景技術】
【０００２】
エレベータの乗りかごの上側に、かご上機器の一部を覆い隠すためのかご外装を設ける場合には、通常、かご外装を開閉可能とすることでかご上での点検スペースを確保している（例えば、特許文献１参照）。
【先行技術文献】
【特許文献】
【０００３】
【特許文献１】特開2011-121747号公報
【発明の概要】
【発明が解決しようとする課題】
【０００４】
ところで、従来では、かご外装を構成するパネルを開閉可能に設け、このパネルをかご外装本体にヒンジ結合している。従って、かご上点検スペースを広く確保するには、パネルの寸法を大きくする必要がある。
【０００５】
しかし、このパネルの寸法を大きくすると、ヒンジを軸としたパネルの回転半径が大きくなるため、パネルを開いた際にパネル外側のかご上機器などに干渉（当接など）してしまうおそれがある。
【０００６】
本発明は上記課題に鑑みてなされたものであり、かご上点検スペースを広く確保しつつ、パネルがパネル外側の部材と干渉することを防止したエレベータの乗りかごを提供することを課題とする。
【課題を解決するための手段】
【０００７】
本発明の実施形態に係るエレベータの乗りかごは、乗りかごのかご上機器を覆い隠すためのかご外装をかご上に備えるエレベータの乗りかごである。かご外装は、上面側を構成する複数枚の上面パネルと、上面パネルを重ね合わせるように移動させることで上面側を開くパネル移動手段と、を備える。
【図面の簡単な説明】
【０００８】
【図１】第１実施形態で説明するエレベータの乗りかごで、かご外装の上面パネルが閉じた状態を示す斜視図である。
【図２】第１実施形態で説明するエレベータの乗りかごで、かご外装の上面パネルが開いた状態を示す斜視図である。
【図３】第１実施形態で説明するエレベータの乗りかごで、かご外装のパネル移動手段の構造を説明する部分断面図である。
【図４】図３の矢視Ａから見た、シャフト構造を説明する説明図である。
【図５】第１実施形態で、かご外装の上面パネルが閉じた状態を示す平面図である。
【図６】第１実施形態で、かご外装のヒンジ構造を説明する断面図である。
【図７】第１実施形態で、かご外装の上面パネルの構成を説明する断面図である。
【図８】図８（ａ）〜（ｄ）は、それぞれ、第１実施形態でかご外装の開閉工程を説明する工程毎の側面図である。
【図９】第２実施形態で、かご外装の上面パネルの開閉機構を説明する側面図である。
【図１０】第２実施形態で、かご外装の上面パネルの開状態を維持する構成を説明する側面図である。
【図１１】第２実施形態の変形例で、かご外装の上面パネルの開閉機構を説明する側面図である。
【図１２】第２実施形態の変形例で、かご外装の上面パネルの開状態を維持する構成を説明する側面図である。
【図１３】第３実施形態で、かご外装の上面パネルの閉状態を維持する構成を説明する側面図である。
【図１４】第３実施形態で、かご外装の上面パネルの閉状態を維持する構成を説明する部分拡大側面図である。
【図１５】図１５（ａ）〜（ｃ）は、それぞれ、第４実施形態でかご外装の開閉工程を説明する工程毎の側面図である。
【図１６】図１６（ａ）〜（ｃ）は、それぞれ、第５実施形態でかご外装の開閉工程を説明する工程毎の側面図である。
【発明を実施するための形態】
【０００９】
以下、添付図面を参照して、実施形態のエレベータの乗りかごについて説明する。なお、第２実施形態以下では、既に説明したものと同様のものには同じ符号を付してその説明を省略する。
【００１０】
［第１実施形態］
まず、第１実施形態について説明する。図１は、エレベータの乗りかごで、かご外装の上面パネルが閉じた状態を示す斜視図である。図２は、エレベータの乗りかごで、かご外装の上面パネルが開いた状態を示す斜視図である。図３は、エレベータの乗りかごで、かご外装のパネル移動手段の構造を説明する部分断面図である。図４は、図３の矢視Ａから見た、シャフト構造を説明する説明図である。図５は、かご外装の上面パネルが閉じた状態を示す平面図である。図６は、かご外装のヒンジ構造を説明する断面図である。図７は、かご外装の上面パネルの構成を説明する断面図である。
【００１１】
本実施形態のエレベータの乗りかごＢは、かご上に、すなわちかご室を形成しているかご壁の上外側に、かご上機器（図示せず）を覆い隠すためのかご外装Ｋを備える乗りかごである。
【００１２】
かご外装Ｋは、上面側を構成する複数枚の上面パネルＰと、上面パネルＰを重ね合わせるように移動させることで上面側を開くパネル移動手段Ｍ１と、を備える。また、本実施形態では、乗りかごＢを構成するかご枠８はかご室天井よりも上方へ延びており、かご枠８にかご上手摺り９が固定され、かご上手摺り９に側面上部補強部材１０が固定され、側面上部補強部材１０に側面パネル５、６が固定されている。
【００１３】
パネル移動手段Ｍ１は、隣接する上面パネル同士を折り畳み可能なように連結するヒンジＨと、上面パネルＰ１〜Ｐ４にそれぞれ保持されたシャフト（シャフト棒）１１と、シャフト１１を案内するガイド手段Ｇ１と、を備える。各シャフト１１は何れもヒンジＨ（後述）の回転軸に直交する上面パネルＰの側縁部ＰＥの長手方向中央部に配置されている。
【００１４】
本実施形態では、上面パネルＰは４枚の上面パネルＰ１〜Ｐ４で構成されている。互いに隣接する上面パネルＰ１と上面パネルＰ２とは、ヒンジＨが回動可能に連結している。互いに隣接する上面パネルＰ３と上面パネルＰ４についても同様である。
【００１５】
また、各上面パネルＰ１〜Ｐ４では、図７に示すように、側面視コの字の鋼板パネル２０と平板状の鋼板パネル２１との内側にハニカム状の補強材２２が収容されており、鋼板パネル２０と鋼板パネル２１とは点付溶接で固定されている。すなわち、補強材２２の周囲が鋼板パネル２０、２１で覆われている。
【００１６】
そして、図６に示すように、互いに隣接する板状の鋼板パネル２１に、ヒンジＨを構成する回動機構１７がそれぞれ接着止めされ、各回動機構１７にはそれぞれＬ字ブラケット１９が接着され、Ｌ字ブラケット１９同士を連結するようにコの字状の鋼板１８が２つのＬ字ブラケット１９にネジ止めで固定されている。この構成により、上述したように、上面パネルＰ１と上面パネルＰ２、および、上面パネルＰ３と上面パネルＰ４が、ヒンジＨ回りに回動可能となっている。
【００１７】
上面パネルＰ１〜Ｐ４には、それぞれシャフト固定部材１２がネジ止めされており、シャフト１１は、上面パネルＰ１〜Ｐ４、シャフト固定部材１２およびシャフト固定ブラケット１３によって、横方向（水平方向）に位置調整可能に保持されている。なお、本実施形態では、シャフト固定ブラケット１３は六角ボルトで締緩できるようになっている。
【００１８】
また、本実施形態では、ガイド手段Ｇ１としてガイドレール７がかご上手摺り９に取り付けられて固定されている。なお、ガイドレール７が側面パネル６に固定される構成にすることも可能である。
【００１９】
この構成により、ガイドレール７でシャフト１１を案内してかご外装Ｋの上面側を開いたときには、各上面パネルＰがヒンジＨで折り畳まれて横方向（かごの上下方向に対して直交する方向）に重ね合せられ、ガイドレール７の一方の端部側に寄せることが可能である。
【００２０】
（作用、効果）
図８（ａ）〜（ｄ）は、それぞれ、第１実施形態でかご外装の開閉工程を説明する工程毎の側面図である。以下、図８を参照して、上面パネルＰ１〜Ｐ４を移動させることでかご外装Ｋの上面側を開き、かご上点検スペースＳ１を確保する作用、効果について説明する。
【００２１】
閉じている状態の上面パネルＰ１〜Ｐ４（図８（ａ）参照）に対し、上面パネルＰ１、Ｐ２に折り畳む力を作用させるとともに上面パネルＰ３、Ｐ４に折り畳む力を作用させる（図８（ｂ）参照）。この結果、図８（ｃ）に示すように、上面パネルＰ１、Ｐ２が折り畳まれて横方向（ガイドレール７の長手方向）に重ね合せられる。上面パネルＰ３、Ｐ４についても同様である。
【００２２】
そして、折り畳んだ上面パネルＰ１、Ｐ２、および、上面パネルＰ３、Ｐ４をガイドレール７の一方の端部側Ｅ１（例えば奥行方向側）に移動させる（図８（ｄ）参照）。これにより、広いかご上点検スペースＳ１を確保して作業員が点検を行うことができる。しかも、上面パネルＰを開いたときに、図８（ｄ）に示すように、４枚の上面パネルＰ１〜Ｐ４が横方向に重ね合わさっている。従って、上面パネルＰを開いたときの上面パネル上端位置が、上面パネルが１枚で構成されている従来例に比べ、大幅に低くなる。よって、上面パネルＰがパネル外側の部材（かご上機器など）と干渉するおそれを大幅に低減させることができる。
【００２３】
また、本実施形態では、シャフト１１は上面パネルＰの長手方向中央部に配置されている。従って、ヒンジＨまわりに上面パネルＰ１〜Ｐ４が折り畳まれるときや広げられるときの上面パネルＰ１〜Ｐ４の回転中心は上面パネルＰ１〜Ｐ４の側縁部ＰＥの長手方向中央部である。よって、ガイドレール７を設けずにヒンジＨで折り畳む構成にして、上面パネルの回動中心が上面パネルの長手方向端部となる場合に比べ、上面パネルＰ１〜Ｐ４の回動半径を半減させることができ、上面パネルがパネル外側の部材と干渉するおそれを更に低減させることができる。
【００２４】
なお、一方の端部側Ｅ１に移動させてかご上点検スペースＳ１を確保して点検終了後、上面パネルＰ１〜Ｐ４を他方の端部側Ｅ２（例えば出入口方向側）に移動させて広いかご上点検スペースＳ２（図８（ｄ）参照）を確保して作業員が点検を行うことは勿論可能である。
【００２５】
また、パネル外側の部材の寸法や配置位置に応じて、上面パネルＰ１〜Ｐ４がガイドレール７に沿って移動する方向を片方に決めておくことや、ガイドレール７の配置方向を変更すること（例えば、本実施形態のガイドレール７に直交する方向に変更すること）を行ってもよい。これにより、上面パネルがパネル外側の部材と干渉するおそれを効率的に低減させることができる。
【００２６】
［第２実施形態］
次に、第２実施形態について説明する。図９は、かご外装の上面パネルの開閉機構を説明する側面図である。図１０は、かご外装の上面パネルの開状態を維持する構成を説明する側面図である。
【００２７】
本実施形態のエレベータの乗りかごでは、第１実施形態に比べ、かご外装の上面側を開いたときには、ヒンジＨで折り畳まれた上面パネル同士を結合（つまり、上面パネルＰ１と上面パネルＰ２を結合、および、上面パネルＰ３と上面パネルＰ４を結合）する結合手段Ｃを備える。本実施形態では、結合手段Ｃとして、一方の上面パネルＰ（Ｐ１、Ｐ３）に取り付けられ雄ネジが形成されている蝶ボルト２４（作業員が指で回転できるボルト）と、他方の上面パネルＰ（Ｐ２、Ｐ４）に形成され蝶ボルト２４がネジ係合するネジ孔部Ｎと、が設けられている。
【００２８】
蝶ボルト２４は一方の上面パネルＰ（Ｐ１、Ｐ３）にヒンジＨとは反対側の端部に取り付けられ、ネジ孔部Ｎは、他方の上面パネルＰ（Ｐ２、Ｐ４）にヒンジＨとは反対側の端部に形成されている。そして、一方の上面パネルＰ（Ｐ１、Ｐ３）の端部には、Ｃ曲げ鋼板補強部２９が形成されており、Ｃ曲げ鋼板補強部２９に形成された挿通孔を蝶ボルト２４が挿通している。また、他方の上面パネルＰ（Ｐ２、Ｐ４）の端部には、クッションゴム２３が緩衝材として設けられており、上面パネル同士を折り畳んだ際に上面パネル同士が衝突することが回避されている。
【００２９】
このように、本実施形態では、一方の上面パネルＰ１と他方の上面パネルＰ２、および、一方の上面パネルＰ３と他方の上面パネルＰ４を折り畳んだ後、両パネルが不用意に開かないように結合手段Ｃによって両パネルが互いに連結されている。従って、作業員が誤って上面パネルＰに触れても連結されている両パネルは開かないので、第１実施形態で奏される効果に加え、作業員がかご上点検を更に安全かつ確実に行うことができるという効果も奏される。
【００３０】
（変形例）
図１１は、本実施形態の変形例で、かご外装の上面パネルの開閉機構を説明する側面図である。図１２は、本実施形態の変形例で、かご外装の上面パネルの開状態を維持する構成を説明する側面図である。本変形例では、第２実施形態に比べ、結合手段Ｃの構成が異なる。
【００３１】
本実施形態では、結合手段Ｃとして、一方の上面パネル（例えば上面パネルＰ１）でヒンジＨとは反対側の端部に設けられたボールキャッチ用ブラケット２８と、他方の上面パネル（例えば上面パネルＰ２）でヒンジＨとは反対側の端部に設けられたボール用ブラケット２７と、を有する。ボールキャッチ用ブラケット２８にはボールキャッチ部材２６が接着されている。ボール用ブラケット２７には、上面パネル同士を折り畳んだときにボールキャッチ部材２６に係止されるボール部２５ｔを有する突出部材２５が接着されている。
【００３２】
本変形例では、上面パネルＰを折り畳んだときに結合手段Ｃによって上面パネル同士が短時間で容易に結合され、また、上面パネルＰに開く力を作業員が作用させることで結合を短時間で容易に解除させることができる。従って、蝶ボルト２４が設けられている場合に比べ、かご上点検の作業性が更に向上する。
【００３３】
［第３実施形態］
次に、第３実施形態について説明する。図１３は、かご外装の上面パネルの閉状態を維持する構成を説明する側面図である。図１４は、かご外装の上面パネルの閉状態を維持する構成を説明する部分拡大側面図である。
【００３４】
本実施形態のエレベータの乗りかごでは、第１実施形態に比べ、上面パネルＰを閉じた状態にした後、ガイドレールの両端部側に位置する上面パネル側部Ｐｅを側面パネル５に固定することができる上面パネル固定手段Ｆを備えている。
【００３５】
上面パネル固定手段Ｆは、ガイドレールの一方の端部側（作業員の出入口側）に位置して上面パネルＰを閉じた状態では側面パネル上部にネジ止めされるＣ曲げ鋼板補強部２９と、Ｃ曲げ鋼板補強部２９の内側に配置された角管状のバー３０と、を有する。バー３０の内側には、上面パネルを閉じた状態で上面パネル側部Ｐｅをネジ止めするためのナットＮＴが配置されている。また、Ｃ曲げ鋼板補強部２９には、ボルトネジＢＴが挿通するための挿通孔が形成されている。
【００３６】
この構成により、上面パネルＰ１〜Ｐ４を閉じた状態で、上面パネル側部Ｐｅの上方からボルトネジを挿通させてナットＮＴにネジ係合させることで、上面パネル側部ＰｅをＣ曲げ鋼板補強部２９に固定することができる。
【００３７】
本実施形態により、第１実施形態で奏される効果に加え、上面パネルＰを閉じた状態に維持することを確実に行うことができるという効果も奏される。また、ボルトネジＢＴを作業員の出入口に近い部位に位置させることが可能なので、ホールから上面パネル側部Ｐｅをネジ止めすることが可能になるという効果も奏される。
【００３８】
［第４実施形態］
次に、第４実施形態について説明する。図１５（ａ）〜（ｃ）は、それぞれ、第４実施形態でかご外装の開閉工程を説明する工程毎の側面図である。
【００３９】
本実施形態のエレベータの乗りかごは、かご上に、すなわちかご室を形成しているかご壁の上外側に、かご上機器（図示せず）を覆い隠すためのかご外装を備える乗りかごである。
【００４０】
本実施形態では、かご外装Ｋは、上面側を構成する２枚の上面パネルＱ１、Ｑ２と、上面パネルＱ１、Ｑ２を重ね合わせるように移動させることで上面側を開くパネル移動手段Ｍ２と、を備える。また、本実施形態では、乗りかごを構成するかご枠（例えば、図１に示したかご枠８を参照）は乗りかごの天井よりも上方へ延びており、かご枠にかご上手摺りが固定され、かご上手摺りに側面パネルが固定されている。
【００４１】
パネル移動手段Ｍ２は、一方の上面パネルＱ１の両端部（ガイドレール長手方向に沿った両端部）にそれぞれ連結されたリンク部材３１と、リンク部材３１の下端部に設けられたシャフト３４と、シャフト３４を案内するガイド手段Ｇ２と、を備える。本実施形態では、ガイド手段Ｇ２としてガイドレール７がかご上手摺り９に取り付けられて固定されている。
【００４２】
リンク部材３１には水平に延びるシャフト１１が上端部に設けられており、上面パネルＱ１のガイドレール長手方向に沿った両端部では、それぞれリンク部材３１がシャフト１１によって上面パネルＱ１に回動可能に連結されている。そして、各リンク部材３１の下端部に、前記ガイドレール７に案内されるシャフト３４がそれぞれ回動可能に取り付けられている。そして、ガイドレール７にはシャフト３４の移動を規制するストッパ３２が配置されている。
【００４３】
そして、開いている上面パネルＱ１を閉じて、図１５（ａ）に示すように、シャフト３４がストッパ３２に当接してシャフト移動が規制されたときに、一方の上面パネルＱ１と他方の上面パネルＱ２とが面一となって（同じ高さとなって）上面パネルＱ１と上面パネルＱ２との隙間が十分に小さくなるように、各リンク部材３１の長さが予め設定されている。
【００４４】
本実施形態では、閉じた状態の上面パネルＱ（図１５（ａ）参照）を開くには、上面パネルＱ１を上方向へ持ち上げる。この結果、上面パネルＱ１と上面パネルＱ２との間に段差が生じ、上面パネルＱ１の下面が上面パネルＱ２の上面よりも高くなる（図１５（ｂ）参照）。そして、上面パネルＱ１に移動力を与えて、シャフト３４をガイドレール７に沿って移動させつつ上面パネルＱ１を上面パネルＱ２の上側に移動させる（図１５（ｃ）参照）。開いた状態の上面パネルＱ１、Ｑ２を閉じるには、シャフト３４をガイドレール７に沿って移動させつつ上面パネルＱ１を閉じた状態の位置に戻すことで容易に行われる。
【００４５】
このように、本実施形態では、上面パネルＱ１、Ｑ２を、閉じた状態（図１５（ａ）参照）と開いた状態（図１５（ｃ）参照）とに容易に切り換えることができる。そして、ガイドレール７でシャフト３４を案内してかご外装の上面側を開いたときには、上面パネルＱ１は隣接する上面パネルＱ２の上側に重ね合せられている。
【００４６】
従って、上面パネルＱ１を移動した領域でかご上点検スペースを広くすることができる。しかも、上面パネルＱ１の上方への移動量は、上記段差を形成するためにリンク部材３１が上昇した分のみであり、第１〜第３実施形態に比べ、上面パネルＱ１が上面パネル外側の部材と干渉するおそれが著しく低減している。
【００４７】
なお、本実施形態では、２枚の上面パネルＱ１、Ｑ２を備えたエレベータの乗りかごの例で説明したが、上面パネルの枚数は特に限定するものではなく、例えば、上面パネルが３枚設けられていて、上面パネルを開いたときには３枚の上面パネルが上下方向に重ね合せられる構成にしてもよい。
【００４８】
［第５実施形態］
次に、第５実施形態について説明する。図１６（ａ）〜（ｃ）は、それぞれ、第５実施形態でかご外装の開閉工程を説明する工程毎の側面図である。
【００４９】
本実施形態のエレベータの乗りかごは、第４実施形態に比べ、ガイドレール７に代えてガイド部材３３（ガイド手段Ｇ３）を備えている。そして、ガイド部材３３の上面側は、シャフト３４が転がりながら移動できる案内部となっており、シャフト３４はガイド部材３３に回動可能に案内され得るように取り付けられている。
【００５０】
上面パネルＱが閉じているときは、上面パネルＱ１が接する案内部３３ａよりも、上面パネルＱ２が接する案内部３３ｂのほうが高くされている。そして、案内部３３ａと案内部３３ｂとの間には、滑らかな段差を形成するＳ字部３５が形成されており、シャフト３４がＳ字部３５を経由し得る構造にされている。
【００５１】
本実施形態では、リンク部材３１の上端部に取り付けられているシャフト１１は上面パネルＱ１に対して回動可能とはされておらず、リンク部材３１は上面パネルＱ１と常に直交している。
【００５２】
本実施形態では、閉じた状態の上面パネルＱ（図１６（ａ）参照）を開くには、上面パネルＱ１を背面側（上方側）でかつ上面パネルＱ２の側へ移動する力を作業員が与える。この結果、上面パネルＱ１のリンク部材３１のうち、上面パネルＱ２に隣接する側部に連結しているリンク部材３１ａ１のシャフト３４ａ１は、Ｓ字部３５を経由して案内部３３ｂに到達する（図１６（ｂ）参照）。なお、Ｓ字部３５の傾斜が緩やかな場合には、上面パネルＱ１に上面パネルＱ２の側へ向けた移動力を与えることでシャフト３４ａ１にＳ字部３５を経由させてもよい。
【００５３】
更に上面パネルＱ１を移動させることで、上面パネルＱ１のリンク部材３１のうち、上面パネルＱ２とは反対側の側部に連結しているリンク部材３１ａ２のシャフト３４ａ２もＳ字部３５を経由し、上面パネルＱ１は案内部３３ｂ上に到達し（図１６（ｃ）参照）、かご外装が開いた状態となる。
【００５４】
開いた状態の上面パネルＱを閉じるには、シャフト３４をガイド部材３３に沿って移動させつつ上面パネルＱ１を閉じた状態の位置に戻すことで容易に行われる。
【００５５】
このように、本実施形態では、第４実施形態と同様、上面パネルＱを、閉じた状態（図１６（ａ）参照）と開いた状態（図１６（ｃ）参照）とに容易に切り換えることができる。そして、ガイド部材３３でシャフト３４を案内してかご外装の上面側を開いたときには、上面パネルＱ１は隣接する上面パネルＱ２の上側に重ね合せられている。
【００５６】
従って、上面パネルＱ１を移動した領域でかご上点検スペースを広くすることができる。しかも、上面パネルＱ１の上方への移動量は、上記段差を形成するためにリンク部材３１が上昇した分のみであり、第１〜第３実施形態に比べ、上面パネルＱ１が上面パネル外側の部材と干渉するおそれが著しく低減している。
【００５７】
なお、本実施形態では、２枚の上面パネルＱ１、Ｑ２を備えたエレベータの乗りかごの例で説明したが、第４実施形態と同様、上面パネルＱの枚数は特に限定するものではなく、例えば、上面パネルが３枚設けられていて、上面パネルを開いたときには３枚の上面パネルが上下方向に重ね合せられる構成にしてもよい。
【００５８】
以上、いくつかの実施形態を説明したが、これらの実施形態は、例として提示したものであり、発明の範囲はそれらに限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００５９】
７  ガイドレール
１１  シャフト
３１（３１ａ１、３１ａ２）  リンク部材
３４（３１ａ１、３４ａ２）  シャフト
Ｂ  乗りかご
Ｃ  結合手段
Ｇ１、Ｇ２、Ｇ３  ガイド手段
Ｈ  ヒンジ
Ｋ  かご外装
Ｍ１、Ｍ２  パネル移動手段
Ｐ（Ｐ１〜Ｐ４）  上面パネル
ＰＥ  側縁部
Ｑ（Ｑ１、Ｑ２）  上面パネル
【図１】
2015027898.tif 000003
【図２】
2015027898.tif 000004
【図３】
2015027898.tif 000005
【図４】
2015027898.tif 000006
【図５】
2015027898.tif 000007
【図６】
2015027898.tif 000008
【図７】
2015027898.tif 000009
【図８】
2015027898.tif 000010
【図９】
2015027898.tif 000011
【図１０】
2015027898.tif 000012
【図１１】
2015027898.tif 000013
【図１２】
2015027898.tif 000014
【図１３】
2015027898.tif 000015
【図１４】
2015027898.tif 000016
【図１５】
2015027898.tif 000017
【図１６】
2015027898.tif 000018
【手続補正書】
【提出日】平成26年9月29日(2014.9.29)
【手続補正１】
【補正対象書類名】特許請求の範囲
【補正対象項目名】全文
【補正方法】変更
【補正の内容】
【特許請求の範囲】
【請求項１】
乗りかごのかご上機器を覆い隠すためのかご外装をかご上に備えるエレベータの乗りかごであって、前記かご外装は、上面側を構成する複数枚の上面パネルと、前記上面パネルを重ね合わせるように移動させることで上面側を開くパネル移動手段と、を備え、前記パネル移動手段は、隣接する前記上面パネル同士を折り畳み可能なように連結するヒンジと、前記上面パネルに固定されたシャフトと、前記シャフトを案内するガイド手段と、を備え、前記ガイド手段で前記シャフトを案内して前記かご外装の上面側を開いたときには、前記上面パネルが前記ヒンジで折り畳まれて横方向に重ね合せられており、前記シャフトは、前記ヒンジの回転軸に直交する前記上面パネルの側縁部の長手方向中央部に配置されていることを特徴とするエレベータの乗りかご。
【請求項２】
前記かご外装の上面側を開いたときには、前記ヒンジまわりに折り畳まれた前記上面パネル同士を結合する結合手段を備えることを特徴とする請求項１記載のエレベータの乗りかご。
【請求項３】
乗りかごのかご上機器を覆い隠すためのかご外装をかご上に備えるエレベータの乗りかごであって、前記かご外装は、上面側を構成する複数枚の上面パネルと、前記上面パネルを重ね合わせるように移動させることで上面側を開くパネル移動手段と、を備え、前記パネル移動手段は、互いに隣接する前記上面パネルの一方のパネルに連結されてパネル下面側へ延び出すリンク部材と、前記リンク部材に設けられたシャフトと、前記シャフトを案内するガイド手段と、を備え、閉じた状態の前記一方のパネルを上方向へ持ち上げると、前記リンク部材が回転移動して前記一方のパネルと前記一方のパネルに隣接する隣接パネルとの間に段差が生じて、前記一方のパネルの下面が前記隣接パネルの上面よりも高くなり、前記一方のパネルに開く方向へ移動する力を与えることで、前記シャフトが前記ガイドレールに沿って移動して前記一方のパネルは前記隣接パネルの上側に重ね合せられ、開いた状態の前記一方のパネルに閉じる方向へ移動する力を与えることで、前記シャフトが前記ガイドレールに沿って移動し、前記リンク部材が回転移動して前記段差が解消されて前記一方のパネルが閉じた位置に移動することを特徴とするエレベータの乗りかご。
【請求項４】
乗りかごのかご上機器を覆い隠すためのかご外装をかご上に備えるエレベータの乗りかごであって、前記かご外装は、上面側を構成する複数枚の上面パネルと、前記上面パネルを重ね合わせるように移動させることで上面側を開くパネル移動手段と、を備え、前記パネル移動手段は、互いに隣接する前記上面パネルの一方のパネルに連結されてパネル下面側へ延び出すリンク部材と、前記リンク部材に設けられたシャフトと、前記シャフトを案内するガイド手段と、を備え、前記一方のパネルが閉じた状態のときに接する一方側ガイド部分よりも前記一方のパネルに隣接する隣接パネルが接する隣接側ガイド部分のほうが高く、かつ、前記一方側ガイド部分と前記隣接側ガイド部分との間に滑らかな段差のＳ字部が形成されている案内部を前記ガイド手段が備えており、閉じた状態の前記一方のパネルに開く方向へ移動する力を与えることで、前記一方のパネルの前記リンク部材の前記シャフトが前記Ｓ字部を経由して、前記一方のパネルは前記隣接パネルの上側に重ね合せられ、開いた状態の前記一方のパネルに閉じる方向へ移動する力を与えることで、前記一方のパネルの前記リンク部材の前記シャフトが前記Ｓ字部を経由して前記一方のパネルが閉じた位置に移動することを特徴とするエレベータの乗りかご。
【請求項５】
前記一方のパネルが前記閉じた状態では、前記一方のパネルと前記隣接パネルとが面一になっていることを特徴とする請求項３または４記載のエレベータの乗りかご。